(57)【要約】【課題】本発明は、需要者の煩雑な操作を要することなく、ガスや湯水その他の省エネルギーや環境保護に繋がる複数の表示すべき情報を有効的に表示させることが可能な表示装置を提供することを目的とした。【解決手段】表示装置１は、電力、ガス、及び、湯水の瞬間消費量及び積算消費量と、二酸化炭素の積算排出量を演算する実績量演算機能を有し、その演算された実績量を表示部に表示するものである。また、表示装置１は、電力情報表示画面と、燃料情報表示画面と、湯水情報表示画面と、二酸化炭素情報表示画面と、時刻表示画面を選択的に設定でき、選択された表示画面が順次切り替わる機能が備えられている。【選択図】図９
2012247161.tif 000002
【特許請求の範囲】
【請求項１】
所定の建物内で消費されるエネルギーの実績消費量たる瞬間消費量及び積算消費量と、所定の建物内で消費される資源の実績消費量たる瞬間消費量及び積算消費量と、エネルギーの消費に伴って排出される二酸化炭素の実績排出量たる積算排出量のうち、少なくともいずれか１つの実績量が演算される実績量演算機能を有し、
実績量演算機能によって演算された実績量は、表示部に表示されるものであって、
下記（１）〜（４）から選択される２以上の表示画面、あるいは、下記（１）〜（４）から選択される少なくとも１つの表示画面と別の特定の表示画面とが、順次切り替わる機能を備えたことを特徴とする表示装置。
（１）少なくともエネルギーたる電力の瞬間消費量と積算消費量とが同時に表示される電力情報表示画面、
（２）少なくともエネルギーたる燃料の瞬間消費量と積算消費量とが同時に表示される燃料情報表示画面、
（３）少なくとも資源たる湯水の瞬間消費量と積算消費量とが同時に表示される湯水情報表示画面、
（４）少なくとも排出物たる二酸化炭素の積算排出量が表示される二酸化炭素情報表示画面。
【請求項２】
前記表示部における表示画面の切り換えは、所定時間毎に自動的に行われることを特徴とする請求項１に記載の表示装置。
【請求項３】
エネルギーの積算消費量、資源の積算消費量、又は、排出物の積算排出量ごとに目標値たる消費量あるいは排出量を設定する目標設定手段を有することを特徴とする請求項１又は２に記載の表示装置。
【請求項４】
表示部において表示される積算消費量及び積算排出量は、それぞれの目標値に対する割合に基づいた表示とされていることを特徴とする請求項３に記載の表示装置。
【請求項５】
燃料を燃焼して燃焼ガスが生成される燃焼部と、湯水又は熱媒体が流通する熱交換器を有し、前記熱交換器内に湯水又は熱媒体を流通させ、前記燃焼部で燃焼ガスを生成し、燃焼ガスで熱交換器を加熱して昇温した湯水そのもの又は熱媒体の熱エネルギーを外部に供給する給湯装置の運転を制御可能なリモコン装置であることを特徴とする請求項１乃至４のいずれかに記載の表示装置。
【発明の詳細な説明】
【技術分野】
【０００１】
本発明は、所定の建物内において消費されるエネルギーや資源等の消費量あるいはエネルギー消費時に伴う二酸化炭素の排出量等を表示する表示装置に関するものである。
【背景技術】
【０００２】
従来より、給湯や暖房等を目的として湯水又は熱媒体を加熱する熱源装置が普及している。この種の熱源装置は、リモコン装置により制御可能な構成とされており、そのリモコン装置の本体部が台所や浴室に設置されて使用されることが一般的である。
【０００３】
ところで、熱源装置には、消費したエネルギーやその他資源（以下、エネルギー等と言う）に関する情報等を、リモコン装置に表示させる機能を備えたものがある。この構成によれば、需要者に対して、需要者自身が使用した実際のエネルギー等の消費量の実体を認知してもらうことができるため、心理的作用から省エネルギーに繋げることができる。
【０００４】
しかしながら、従来技術においては、消費したエネルギーや資源に関する情報自体が、需要者の心理に伝わりにくく、機能自体が有効でないという不満があった。具体的に言うと、従来においては、ガスや湯水の流量は、所定間隔毎に検出される瞬間の流量（ガス：ｍ3／ｈ、湯水：ｌ／ｍｉｎ）だけがリモコン装置に表示される構成であるため、需要者にとっては、その表示された瞬間流量が無駄遣いであるのか否かを判断し難いという不満があった。
【０００５】
そこで、特許文献１では、ガスや湯水の瞬間流量だけでなく、瞬間流量に基づいた積算流量を同時に表示する技術が開示されている。
ここで、積算流量は、瞬間流量を基準に、使用時間に応じて積分あるいは使用時間を乗じた数値であり、実際に使用した流量を容易に認識させることができる効果がある。
即ち、特許文献１のような構成を備えることで、需要者に実際の使用流量を確実に認識させることが可能となり、ガスや湯水の無駄遣いを抑制することができる。
【先行技術文献】
【特許文献】
【０００６】
【特許文献１】特許２９５４２８４号公報
【発明の概要】
【発明が解決しようとする課題】
【０００７】
しかしながら、特許文献１においては、需要者に対して、さらなる省エネルギーや環境保護に対する意識を向上させるという目的を果たすことが困難である。即ち、特許文献１は、需要者が所定の操作をすることによって、ガスや湯水の瞬間流量や積算流量を表示する構成とされている。この構成を利用した場合、例えば、省エネルギーの観点から、電力の消費量を表示する構成を追加すると、表示を切り換える操作が必要となり、実質的に操作回数が増加する。これは、需要者にとっては面倒であるため、操作が敬遠される場合が考えられる。逆に言えば、需要者が操作を敬遠し、操作されない場合、新たに追加した電力情報が表示されないというおそれがある。
従って、従来技術によれば、ガス及び湯水の他に表示すべき種類の情報が追加された場合であっても、需要者の操作によらなければ、全ての情報が表示されないため、結局、省エネルギーや環境保護に繋がる機能を有効的に利用することが困難であった。
【０００８】
そこで、本発明では、需要者の煩雑な操作を要することなく、ガスや湯水その他の省エネルギーや環境保護に繋がる複数の表示すべき情報を有効的に表示させることが可能な表示装置を提供することを課題とする。
【課題を解決するための手段】
【０００９】
上記課題を解決するため、請求項１に記載の発明は、所定の建物内で消費されるエネルギーの実績消費量たる瞬間消費量及び積算消費量と、所定の建物内で消費される資源の実績消費量たる瞬間消費量及び積算消費量と、エネルギーの消費に伴って排出される二酸化炭素の実績排出量たる積算排出量のうち、少なくともいずれか１つの実績量が演算される実績量演算機能を有し、実績量演算機能によって演算された実績量は、表示部に表示されるものであって、下記（１）〜（４）から選択される２以上の表示画面、あるいは、下記（１）〜（４）から選択される少なくとも１つの表示画面と別の特定の表示画面とが、順次切り替わる機能を備えたことを特徴とする表示装置である。
（１）少なくともエネルギーたる電力の瞬間消費量と積算消費量とが同時に表示される電力情報表示画面、
（２）少なくともエネルギーたる燃料の瞬間消費量と積算消費量とが同時に表示される燃料情報表示画面、
（３）少なくとも資源たる湯水の瞬間消費量と積算消費量とが同時に表示される湯水情報表示画面、
（４）少なくとも排出物たる二酸化炭素の積算排出量が表示される二酸化炭素情報表示画面。
【００１０】
本発明の表示装置は、例えば、燃料や湯水の瞬間消費量及び積算消費量に加えて、あるいは替えて、電力の瞬間消費量及び積算消費量やエネルギー消費に伴って排出される二酸化炭素の積算排出量の情報を、表示部において表示する場合であっても、需要者に煩雑な操作を要することなく、それらの情報を表示させることができる。即ち、本発明では、表示すべき情報を順次切り換える機能を備えているため、たとえ表示されるべき情報が複数あっても、需要者の操作における手間はない。換言すれば、新たに情報が追加されても、需要者の操作手間にほぼ変化はないため、需要者は日常的に表示部に表示される実績消費量や実績排出量の情報を得ることができる。これにより、需要者に手間を掛けさせることなく、省エネルギーや環境保護に有用な情報を表示部を介して伝えることができるため、需要者の省エネルギーや環境保護への意識を確実に向上させることができる。
また、本発明では、エネルギーや資源、又は排出物ごとに表示画面が用意されており、表示画面が切り換わった場合に、それぞれの表示画面における瞬間消費量と積算消費量の表示種類が相違することがない。即ち、電力情報表示画面から燃料情報表示画面に切り換わる場合、電力の瞬間消費量及び積算消費量が、燃料の瞬間消費量及び積算消費量に同時に切り換わる。換言すれば、電力情報表示画面から燃料情報表示画面に切り換わった際に、電力の瞬間消費量と燃料の積算消費量が同時に表示されるようなことは発生し得ないため、需要者が表示画面から得られる情報を誤認するおそれがない。
【００１１】
請求項２に記載の発明は、前記表示部における表示画面の切り換えは、所定時間毎に自動的に行われることを特徴とする請求項１に記載の表示装置である。
【００１２】
かかる構成によれば、所定時間毎に自動的に表示画面が切り替わるため、積算消費量や積算排出量を確認するために、需要者が表示装置を操作する必要がない。これにより、需要者の省エネルギーや環境保護への意識をより確実に向上させることができる。
【００１３】
請求項３に記載の発明は、エネルギーの積算消費量、資源の積算消費量、又は、排出物の積算排出量ごとに目標値たる消費量あるいは排出量を設定する目標設定手段を有することを特徴とする請求項１又は２に記載の表示装置である。
【００１４】
かかる構成によれば、目標設定手段によって、目標消費量や目標排出量を設定することができるため、需要者がエネルギー等を無駄遣いしているか否かをより容易に判断することができる。例えば、目標設定手段を用いて、一般的な４人家族の場合であれば目標消費量はＡ、目標排出量はＢ、あるいは一般的な１人暮らしの場合であれば目標消費量はＣ、目標排出量はＤ等のような基準を設ければ、その目標値に対する需要者自身あるいはその需要者の家族の実際の消費量や排出量（実績値）を比較した状態で認識できる。即ち、本発明では、表示部において、単にエネルギー等の積算消費量や二酸化炭素の積算排出量だけが表示されるわけではなく、実績値と目標値を比較できる状態で表示することが可能であるため、エネルギー等の無駄遣いの有無を判断し易い。
【００１５】
請求項４に記載の発明は、表示部において表示される積算消費量及び積算排出量は、それぞれの目標値に対する割合に基づいた表示とされていることを特徴とする請求項３に記載の表示装置である。
【００１６】
かかる構成によれば、例えば、積算消費量や積算排出量を、目標値に基づいた百分率や、グラフ等によって表示することができる。即ち、エネルギー等の積算消費量や、二酸化炭素の積算排出量を、予め目標値と比較した状態で表示部に表示させることができるため、瞬間的にエネルギー等の無駄遣いの有無を判断することができる。
【００１７】
本発明の表示装置は、燃料を燃焼して燃焼ガスが生成される燃焼部と、湯水又は熱媒体が流通する熱交換器を有し、前記熱交換器内に湯水又は熱媒体を流通させ、前記燃焼部で燃焼ガスを生成し、燃焼ガスで熱交換器を加熱して昇温した湯水そのもの又は熱媒体の熱エネルギーを外部に供給する給湯装置の運転を制御可能なリモコン装置であることが好ましい。（請求項５）
【発明の効果】
【００１８】
本発明の表示装置では、表示部におけるエネルギーや資源、排出物の積算量の表示が切り換わる構成とされているため、ガスや湯水その他表示すべき種類の情報がある場合であっても、需要者にそれらの情報を確実に認識させることができる。これにより、本発明によれば、需要者の省エネルギーや環境保護に対する意識を向上させることが可能となる。
【図面の簡単な説明】
【００１９】
【図１】本発明の実施形態の給湯装置を示す作動原理図である。
【図２】図１のリモコン装置を示す正面図である。
【図３】リモコン装置の装置構成を示すブロック図である。
【図４】表示部に電力情報を表示した電力情報表示画面を示す説明図である。
【図５】表示部に燃料情報を表示した燃料情報表示画面を示す説明図である。
【図６】表示部に湯水情報を表示した湯水情報表示画面を示す説明図である。
【図７】表示部に二酸化炭素情報を表示した二酸化炭素情報表示画面を示す説明図である。
【図８】積算表示部を拡大した説明図で、（ａ）は使用量抑制喚起表示を示し、（ｂ）は過剰使用表示を示す。
【図９】（ａ）〜（ｃ）表示画面の経時的な切り換え状況を示す説明図である。（時刻表示画面なし）
【図１０】（ａ）〜（ｆ）表示画面の経時的な切り換え状況を示す説明図である。（時刻表示画面あり）
【図１１】初期画面設定テーブルを示す概念図である。
【図１２】制御基板の変形例を示すブロック図である。
【発明を実施するための形態】
【００２０】
以下に、本発明の実施形態に係るリモコン装置（表示装置）１について説明する。
なお、本実施形態のリモコン装置１は、給湯器本体２と組み合わされて、給湯装置３を構成しているため、以下においては給湯装置３の一部として説明する。
給湯器本体２は、公知のそれと同じである。即ち、給湯器本体２は、供給されたガス（燃料）を燃焼する燃焼部２０と、燃焼部２０で発生した燃焼ガスで湯水を加熱する熱交換部２１と、給湯系統２２及び追いだき系統２３と、制御部２５とを備えている。そして、給湯器本体２では、制御部２５によって、給湯系統２２を流れる湯水を熱交換部２１で加熱する給湯運転（風呂への落とし込み運転含む）と、追いだき系統２３を流れる湯水を熱交換部２１で加熱する追いだき運転とが制御される。
なお、公知のそれと同様であるため具体的説明は省略するが、給湯系統２２及び追いだき系統２３には、流通する湯水の温度、流量又は通水の有無等の情報を検知するセンサが配されている。
【００２１】
リモコン装置１は、図２に示すように、給湯器本体２の制御部２５に電気的に接続された運転操作部６と、表示部７と、制御基板８（図３）と、設定操作部１７（図３）がリモコン本体５に具備された構成とされている。具体的には、リモコン装置１は、通常の設置状態を基準に説明すると、運転操作部６がリモコン本体５の上部側に操作可能に露出するように配され、表示部７が運転操作部６の下方であってリモコン本体５の上下方向ほぼ中央に配され、制御基板８がリモコン本体５に内蔵され、設定操作部１７がリモコン本体５の下部側で開閉可能な蓋部１９の内側に位置するように配されている。
【００２２】
本実施形態では、運転操作部６は、３つのスイッチ（起動スイッチ）２８、２９、３０で構成されている。具体的には、図２に示すように、左から運転スイッチ２８、ふろ自動スイッチ２９、追いだきスイッチ３０であり、各スイッチ２８〜３０は、後述する制御基板８に実装された内部スイッチ（図示しない）に連動する構成である。即ち、各スイッチ２８〜３０を操作すると、内部スイッチが物理的に押下され、そこで生成された信号がリモコン装置１のマイコン１５に入力される。なお、設定操作部１７も運転操作部６と同様、制御基板８に実装された内部スイッチ（図示しない）に連動する構成である。
【００２３】
表示部７は、図２に示すように、液晶ディスプレイ１８やＬＥＤ等（図示しない）で構成されており、液晶ディスプレイ１８に、時刻、給湯温度等の設定内容、給湯器本体２の運転状態に関する情報、給湯器本体２で消費されたガス及び湯水の実績消費量、家庭内で消費された電力の実績消費量、並びに、ガスや電力の使用に伴って排出される二酸化炭素の実績排出量を表示するものである。より具体的には、液晶ディスプレイ１８は、主に給湯温度等の設定温度や運転状態等を示す運転・設定表示領域Ａと、主に時刻や、ガス、電力、及び、湯水の実績消費量、二酸化炭素の実績排出量を示す時刻・実績量表示領域Ｂに分割された構成とされている。
【００２４】
制御基板８は、図３のブロック図に示すように、通信部１０と、演算部１１と、制御部１２と、記憶部１４を備えている。なお、演算部１１、制御部１２、及び、記憶部１４は、１つのマイコン１５によって構成されている。
【００２５】
通信部１０は、図示しないインターフェース回路とマイコン１５で構成された部分で、外部の機器とリモコン装置１とを電気的に繋ぐ部分である。
通信部１０は、給湯器本体２の制御部２５と接続されており、給湯器本体２で検知された湯水の情報（熱交換部２１を基準とした入水温度及び出湯温度と、熱交換部２１を通過する湯水の流量及び熱交換部２１を迂回する湯水の流量（湯水の実績消費量））や、エラー情報等の信号が入力されたり、逆にリモコン装置１側で生成された運転指令や設定情報等の信号を給湯器本体２側に出力する部分である。そして、通信部１０に入力された給湯器本体２における情報に基づいた信号は、リモコン装置１のマイコン１５に送信される。
【００２６】
また、本実施形態のリモコン装置１は、家庭内で消費される電流・電力情報が入力される構成とされている。即ち、通信部１０は、１対のカレントトランス３３ａ、３３ｂと、コンセントプラグ３５とが接続されている。具体的には、通信部１０は、カレントトランス３３ａ、３３ｂと、コンセントプラグ３５とが接続された電力計測ユニット１６と接続されており、カレントトランス３３ａ、３３ｂ及びコンセントプラグ３５からの電力情報が、電力計測ユニット１６を介して入力される。
【００２７】
カレントトランス３３ａ、３３ｂは、商用電源（例えばＡＣ１００ＶやＡＣ２００Ｖ）から出力される交流電流を検出するもので、コンセントプラグ３５は商用電源から出力される交流電圧をサンプル的に検出するものである。即ち、１対のカレントトランス３３ａ、３３ｂは、家庭内の電気機器に電力を分配する分電盤２６からコンセント（図示しない）に延びた電源線３６を挟むように取り付けられている。
また、コンセントプラグ３５は、電源効果を発揮するものではなく、あくまで商用電源から出力される交流電圧をサンプル的に検出するものである。なお、コンセントプラグ３５は、コンセント（図示しない）に差し込まれて使用される。
【００２８】
電力計測ユニット１６は、カレントトランス３３ａ、３３ｂから入力された電流情報と、コンセントプラグ３５から入力された電圧情報に基づいて、消費電力の積算処理を行う部分である。即ち、電力計測ユニット１６では、カレントトランス３３ａ、３３ｂ及びコンセントプラグ３５から電力の瞬間消費量が入力され、その瞬間消費量に基づいて、電力の使用時間に応じた電力の積算消費量が算出される。
なお、本実施形態では、電力の積算消費量は、午前零時から２４時間経過するまでの期間に演算された消費量が積算されて算出される。具体的に説明すると、午前零時から２４時間経過するまでの期間においては、電気機器の連続使用や不連続使用に関わらず、全ての電力の消費量が積算される。
【００２９】
即ち、通信部１０は、カレントトランス３３ａ、３３ｂ及びコンセントプラグ３５から検出された電流・電圧情報に基づいて演算された電力の消費情報（瞬間消費量及び積算消費量）の信号が定期的に入力される部分でもある。
そして、通信部１０に入力された電力の消費情報に基づいた信号は、リモコン装置１のマイコン１５に入力される。具体的には、通信部１０から記憶部１４に入力され、必要に応じて演算部１１に送信される。
【００３０】
演算部１１は、通信部１０及び記憶部１４から入力された情報に基づいて演算する部分である。即ち、給湯器本体２側の情報（湯水を加熱する際における湯水情報）に基づいて、給湯器本体２で使用された湯水の消費量（湯水の実績消費量）、ガスの消費量（ガスの実績消費量）、及び、二酸化炭素の排出量（二酸化炭素の実績排出量）が演算される。より具体的には、湯水の実績消費量に関しては、給湯器本体２から入力された湯水の瞬間流量に基づいて実際に消費された時間分の湯水の積算消費量が演算され、ガスの実績消費量に関しては、一定時間毎に算出されるガスの瞬間消費量と、そのガスの瞬間消費量と実際に燃焼に要した時間との関係からガスの積算消費量が演算され、二酸化炭素の実績排出量に関しては、主にガスの積算消費量や電力の積算消費量に基づいて演算される。
【００３１】
ここで、ガスの実績消費量、及び、二酸化炭素の実績排出量の演算方法について説明する。
（ガスの実績消費量）
本実施形態では、給湯系統２２や追いだき系統２３を流れる湯水の温度や流量、並びに需要者などによって設定された給湯温度等に基づいて、燃焼部２０が、予め設定された燃焼量に制御される。しかしながら、燃焼制御する際においては、使用されるガス流量が流量センサ等で正確に制御されているわけではない。即ち、本実施形態では、ガス比例弁や電磁弁等で適当なガス流量に制御している。
そこで、本実施形態では、給湯系統２２や追いだき系統２３における熱交換部２１への入水温度と、需要者などによって設定された設定温度と、熱交換部２１を通過する通水流量（湯水の瞬間消費量）とに基づいて演算される目標燃焼量（燃焼部２０における発熱量）を算出し、その目標燃焼量に熱交換部２１における熱交換効率に基づく係数を乗じて、その算出された数値をガスが持つ単位体積当たりの熱量（以下、単位熱量という）で除して得られる数値をガスの瞬間消費量として採用することとした。即ち、本実施形態では、地域によって異なるガスの種類ごとに適したガスの実績消費量が演算できる。そして、このガスの瞬間消費量に基づいて、燃焼時間で積分あるいは燃焼時間を乗じて算出されたガスの消費量がガスの積算消費量である。
なお、ガスの積算消費量及び湯水の積算消費量に関しても、電力の積算消費量と同様、午前零時から２４時間経過するまでの期間に演算された消費量が積算されて算出される。
また、その他の演算方法として、燃焼制御中における、給湯系統２２や追いだき系統２３を流れる湯水の温度や流量から実際の燃焼量を算出し、その算出された燃焼量をガスの単位熱量で除して得られる数値をガスの実績消費量としても構わない。
【００３２】
（二酸化炭素の実績排出量）
二酸化炭素の実績排出量は、前記したように、主にガスの積算消費量や電力の積算消費量に基づいて演算されるが、本実施形態では、これに加えて、湯水の積算消費量に基づいて演算された分が加味される。
具体的には、各エネルギー、資源ごとに、それぞれ適当な排出量換算係数が存在し、各積算消費量にその排出量換算係数が乗じて算出される。
なお、排出量換算係数には、例えば、ガスに関しては２．２１ｋｇＣＯ2／ｍ3、湯水に関しては０．３６ｋｇＣＯ2／ｍ3、電力に関しては０．６９ｋｇＣＯ2／ｋＷｈが挙げられる。
【００３３】
また、本実施形態における演算部１１では、後述する記憶部１４で記憶された、演算部１１及び電力計測ユニット１６で前日までに演算された積算消費量や積算排出量を用いて、その日１日の目標とする消費量や排出量が演算される。具体的には、演算部１１で算出される目標消費量や目標排出量は、前日を含んだ直近２週間以内の積算消費量や積算排出量に基づいた平均値である。
【００３４】
制御部１２は、運転操作部６、設定操作部１７、演算部１１、並びに、通信部１０から入力された信号に基づいて、設定変更や運転制御等を行う部分である。
記憶部１４は、予め設定された情報や設定操作部１７によって入力、変更された情報、さらに演算部１１あるいは電力計測ユニット１６において演算されたエネルギー（ガス、電気）や資源（湯水）ごとの実績消費量、並びに、排出物（二酸化炭素）の実績排出量等が記憶される部分である。
【００３５】
次に、給湯装置３の動作及び機能について説明する。
なお、本実施形態の給湯装置３は、従来の給湯装置と同様の動作をするため、簡単に説明する。
給湯装置３は、リモコン装置１の操作によって、給湯運転、ふろ落とし込み運転、並びに、追いだき運転が制御される。
即ち、給湯運転は、リモコン装置１の運転スイッチ２８がオン操作されると開始可能となる。具体的には、この状態で、図示しないカラン等が操作されると、給湯系統２２内に湯水の水流が発生し、その流量が燃焼動作可能な最低流量（ＭＯＱ）以上であることが検知されると、燃焼部２０において燃焼動作が開始され、所望の温度の湯水を給湯する。
なお、運転スイッチ２８は、以下に説明する追いだき運転を機能させる際においても予めオンの状態にしておくことが必要である。
【００３６】
ふろ落とし込み運転は、リモコン装置１のふろ自動スイッチ２９がオン操作されると開始される運転である。即ち、ふろ自動スイッチ２９の操作で生成された信号が、給湯器本体２側に入力されると、浴槽内に湯水を落とし込む風呂循環金具３７に至る給湯系統２２に一定流量で流れる水流が発生し、燃焼部２０の燃焼動作が開始されて、所望の温度の湯水が給湯される。そしてその後、浴槽内に設定水量の湯水が満たされると、風呂循環金具３７からの給湯は停止する。
【００３７】
また、追いだき運転は、運転スイッチ２８をオン状態にした後に、リモコン装置１の追いだきスイッチ３０がオン操作されると開始される運転である。即ち、追いだきスイッチ３０の操作で生成された信号が、給湯器本体２側に入力されると、浴槽内の湯水を追いだき系統２３内に導入して一定速度で流し、燃焼部２０の燃焼動作を開始する。これにより、浴槽内の湯水が設定の温度まで昇温される。そしてその後、浴槽内の湯水が設定温度まで昇温（追いだき系統内の湯水の温度で判断）すれば、燃焼部２０における燃焼動作の停止及び追いだき系統２３における水流が停止される。
【００３８】
続いて、本実施形態におけるリモコン装置１の特徴的機能について説明する。
本実施形態のリモコン装置（表示装置）１は、給湯器本体２の運転に制御指令を送信するほか、給湯器本体２で使用されたガスや湯水の瞬間消費量及び積算消費量や、家庭内で使用された電力の瞬間消費量及び積算消費量、さらにガスや電力の使用に伴って排出される二酸化炭素の積算排出量を、表示部７に所定の条件を満たすように表示し、その表示部７の表示画面が所定時間毎に切り換わるように制御できる特徴的機能が備えられている。そして、このリモコン装置１の特徴的機能は、運転スイッチ２８がオンの状態で機能するように設定されている。
以下においては、運転スイッチ２８がオンの状態であることを前提として説明する。
【００３９】
本実施形態では、表示する実績値の種類毎に表示画面のレイアウトが用意されている。即ち、表示画面は、瞬間消費量及び積算消費量を表示する消費量用画面と、積算排出量のみを表示する排出量用画面とに大別される。そして、電力、ガス、湯水の表示画面は消費量用画面に分類され、二酸化炭素の表示画面は排出量用画面に分類されている。
【００４０】
消費量用画面は、図４〜６に示すように、時刻・実績量表示領域Ｂに瞬間消費量と、積算消費量と、その表示された実績消費量の種類（表示される実体としては電気、ガス、お湯）が同時に表示される画面で、運転・設定表示領域Ａに隣接する側から実績消費量の種類、積算消費量、瞬間消費量が並べられたレイアウトにされている。
具体的には、実績消費量を示す種類が「電気」の場合、図４に示すように、その種類が表示された部分（種類表示部４０）に隣接するように、電力の積算消費量がグラフで表示（積算表示部４１）され、その隣に瞬間消費量が数値で表示（時刻・瞬間表示部４２）される（電力情報表示画面）。
【００４１】
ここで、積算消費量のグラフは、制御基板８で演算された前日を含む２週間以内の１日分の消費量の平均値を目標値として、その日の積算消費量をその目標値に対して相対的に表すことができる部分である。具体的には、上下に並ぶように目盛りが５つに区分され、下から４目盛り目が制御基板８で演算された目標値となるように割り当てられている。そして、その日の積算消費量は、目標値を基準として演算された割合に相当するようにグラフに黒塗りされる。
即ち、図４に示す電力の積算消費量を例にすれば、積算表示部４１において下から３目盛りまでが黒塗りされているため、目標値の５０パーセントより多く、その目標値の７５パーセントより少ない状態であることが理解できる。
【００４２】
また、図４に示す目標値よりもさらに上に位置する５つ目の目盛りは、積算消費量が目標値を超えた場合に黒塗り表示される部分である。即ち、積算表示部４１における５つ目の目盛りは、積算消費量が目標値の１０１パーセント〜１０９パーセントの範囲に達すれば、図８（ａ）に示すように、「ＯＶＥＲ」という白抜き文字と共に黒塗り部分が表示される（使用量抑制喚起表示）。そして、積算消費量が目標値の１１０パーセント以上になれば、図８（ｂ）に示すように、５つ目の目盛りだけが、点滅を繰り返して表示される（過剰使用表示）。なお、以下に説明するガス、湯水の積算消費量、並びに二酸化炭素の積算排出量に関しても、使用量抑制喚起表示及び過剰使用表示と同様の表示制御が実行される。
【００４３】
また、瞬間消費量は、時刻・瞬間表示部４２において実際に検出された単位当たりの消費量を数値で表したもので、一定時間毎に更新して表示される。
なお、図４に示す電力の瞬間消費量は、その瞬間の電力をｋｗｈを単位として表示している。
【００４４】
実績消費量を示す種類が「ガス」、「お湯」の場合も、「電気」の場合と同様、種類表示部４０に種類が表示され、積算表示部４１に「ガス」あるいは「お湯」の積算消費量がグラフで表示され、時刻・瞬間表示部４２に瞬間消費量が数値で表示される（燃料情報表示画面、湯水情報表示画面）。なお、瞬間消費量の実質的な単位は、「ガス」がｍ3／ｈで、「お湯」がｌ／ｍｉｎであるが、表示上、ガスはｍ3、お湯はｌに設定されている。
【００４５】
一方、排出量用画面は、図７に示すように、時刻・実績量表示領域Ｂに積算排出量と、その表示された実績排出量の種類（表示される実体としてはＣＯ2）と、時刻が同時に表示される画面で、運転・設定表示領域Ａに隣接する側から実績排出量の種類、積算排出量、時刻が並べられたレイアウトにされている。
即ち、実績排出量を示す種類が「ＣＯ2」の場合、図７に示すように、種類表示部４０に種類が表示され、積算表示部４１に二酸化炭素の積算排出量がグラフで表示され、時刻・瞬間表示部４２にその時の時刻が表示される（二酸化炭素情報表示画面）。即ち、本実施形態では、二酸化炭素の排出量を表示する場合、時刻・瞬間表示部４２における表示が、瞬間消費量に替えて、その時の時刻が表示される。
なお、積算排出量のグラフは、前記積算消費量と同様であり、前日を含む２週間以内の１日分の消費量の平均値を目標値として、その日の積算排出量をその目標値に対して相対的に表したものであるため、説明を省略する。
【００４６】
また、本実施形態のリモコン装置１では、上記した各表示画面を所定時間毎に自動的に切り替わる制御を設定することが可能である。
即ち、リモコン装置１は、電力情報表示画面と、燃料情報表示画面と、湯水情報表示画面と、二酸化炭素情報表示画面の中から、少なくとも２つの表示画面が選択された場合に、その選択された表示画面を順次切り換える制御を行うことができる。
具体的に説明すると、例えば、需要者等の操作によって、電力情報表示画面と燃料情報表示画面の２つが選択された場合、表示部７においては、図４に示す電力情報表示画面が表示されて一定時間（例えば２０秒）経過した後に、入れ替わるようにして図５に示す燃料情報表示画面が表示され、その表示からさらに一定時間（前記と同じで２０秒）経過した後、再び入れ替わるようにして電力情報表示画面が表示される。そして、このような表示画面の切り換え制御は、運転スイッチ２８がオンの状態である限り継続される。
また同様に、電力情報表示画面と燃料情報表示画面と湯水情報表示画面の３つが選択された場合は、一定の順番（例えば電力→燃料→湯水→電力・・）を保持しながら、一定時間（２０秒）毎に表示画面が切り替わるように切り換え制御が実行される（図９）。
【００４７】
さらに本実施形態では、上記した表示画面のレイアウトに加えて、時刻を表示する時刻表示画面（特定の表示画面）が用意されている。この時刻表示画面は、上記した表示画面を基準に、時刻・瞬間表示部４２における表示を強制的に時刻表示に切り換えたものである。
即ち、電力情報表示画面と燃料情報表示画面と湯水情報表示画面の３つと、さらに時刻表示画面が選択された場合、上記したように一定の順番で表示画面が切り換えられるが、時刻表示画面に限っては、電力情報表示画面と燃料情報表示画面との間、燃料情報表示画面と湯水情報表示画面との間、並びに、湯水情報表示画面と電力情報表示画面との間に表示される。
【００４８】
具体的に説明すると、電力→燃料→湯水→電力・・・の順番で切り替わることが前提条件であれば、図１０（ａ）に示す電力情報表示画面が表示されて一定時間（例えば１０秒）経過した後に、入れ替わるようにして図１０（ｂ）に示す電力情報表示画面をベースにした時刻表示画面が表示され、その表示から一定時間（例えば１０秒）経過した後に、さらに入れ替わるように図１０（ｃ）に示す燃料情報表示画面が表示され、その表示から一定時間（１０秒）経過した後、入れ替わるようにして図１０（ｄ）に示す燃料情報表示画面をベースにした時刻表示画面が表示され、その表示から一定時間（１０秒）経過した後に、再び入れ替わるように図１０（ｅ）に示す湯水情報表示画面が表示され、その表示から一定時間（１０秒）経過した後、入れ替わるようにして図１０（ｆ）に示す湯水情報表示画面をベースにした時刻表示画面が表示される。
【００４９】
以上によれば、本実施形態では、省エネルギーや環境保護に繋がる情報が複数あり、その全てを表示部７において表示させる場合であっても、種類（電気、ガス、お湯、ＣＯ2）毎に表示画面を自動的に切り換えることができるため、需要者は煩雑な操作を行うことなく、それらの情報を得ることができる。即ち、需要者は、従来と変わりない生活の中で、需要者自身が消費したエネルギー及び資源の実績量や、二酸化炭素の実績排出量を確実に知ることができるため、需要者の省エネルギーや環境保護に対する意識を確実に向上させることができる。
【００５０】
また、本実施形態は、エネルギー及び資源に関しては、瞬間消費量と積算消費量を同時に視認できるような表示機能が備えられたため、消費状態が過剰であるか否かを判断し易い。
また、本実施形態では、過去の実績値から演算された平均値を目標値とし、積算消費量及び積算排出量を、その目標値に対する割合（グラフ）で表示したため、積算消費量や積算排出量を見た瞬間にエネルギー等の使用状況（過剰使用であるか否か）を容易に理解させることができる。即ち、本実施形態では、需要者がリモコン装置１に対峙することなく、瞬間的に省エネルギーや環境保護に繋がる情報を得ることができるため、今まで省エネルギーや環境保護に対する意識がなかった人に対しての効果も期待することができる。
【００５１】
また、本実施形態の給湯装置３は、電力情報表示画面と、燃料情報表示画面と、湯水情報表示画面と、二酸化炭素情報表示画面と、時刻表示画面が、一定時間ごとに自動的に順次切り換える機能を備えている。
しかしながら、使用者によっては表示の切り替わりを煩わしいと感じる場合もあるため、使用者の望みに応じて表示の切り替わりに制限を設けることもできる。
例えば、電力情報表示画面と、時刻表示画面が自動的に順次切り替わり、他の画面は特別な操作を実行しなければ表示されないように設定することができる。
同様に、燃料情報表示画面と、時刻表示画面が自動的に順次切り替わったり、湯水情報表示画面と、時刻表示画面が自動的に順次切り替わるように設定することもできる。
さらに、前記した５種類の中から、任意に２以上を選んで自動的に順次切り替わるように設定することもできる。
【００５２】
本実施形態の給湯装置３では、工場からの出荷時に、表示方法の設定が行われる。即ち、工場からの出荷時に、画面表示の初期設定が行われる。
初期設定は任意であり、全ての表示画面が、順番に表示されるように設定してもよいし、特定の表示画面だけが表示されるように設定してもよい。
給湯装置３は、販売代理店や燃料供給事業者等の中間業者を通じて最終ユーザに供給される場合が多いので、多くの場合、工場からの出荷時に設定される初期設定は、中間業者の意向に従って設定されることとなる。
【００５３】
本実施形態の給湯装置が工場から最終ユーザの元に届けられ、需要者の住居に設置された場合は、原則として、工場からの出荷時に設定された初期設定に基づいて、表示画面が表示される。
例えば、工場出荷時の初期設定が、全ての表示画面を順番に表示する設定であるならば、設置された状態においては、原則として全ての表示画面が表示され、電力情報表示画面と時刻表示画面だけが切り替わる設定が初期設定であるならば、設置された状態においてはそのように表示される。
【００５４】
ただし、需要者の住居に設置された際に、給湯装置に電力計測ユニット１６が、接続された場合には、初期設定に係わらず、他の表示方法が実行される。即ち、少なくとも、電力情報表示画面を含む表示が実行される。例えば、電力情報表示画面と時刻表示画面だけが切り替わるように表示がなされる。
【００５５】
この理由は、出荷時においては、給湯装置３に電力計測ユニット１６が接続されるか否かが不明であるためである。
即ち、前記したように、給湯装置３は、給湯器本体２とリモコン装置１によって構成される。そのため給湯器本体２とリモコン装置１は施工現場で確実に接続される。従って、燃料と湯水が消費されることは確実であり、リモコン装置１に、燃料に関する情報と、湯水に関する情報が送信される。二酸化炭素に関する情報についても、その基礎となる情報が、リモコン装置１に送信される。
【００５６】
これに対して、電力に関する情報は、分電盤２６に接続された電力計測ユニット１６から得られるものであって、必ずしも電力計測ユニット１６が給湯装置３に接続されるとは限らない。
即ち、電力計測ユニット１６を持たない給湯装置３も存在し、このような給湯器本体２では、電力に関する情報が得られない。
そこで、本実施形態では、ユーザの住居に設置された際に、給湯装置３に電力計測ユニット１６が接続された場合には、初期設定に係わらず、電力情報表示画面を含む表示を実行させることとした。
【００５７】
また、本実施形態の給湯装置３では、需要者が好みに応じて、表示される画面を変更する設定を行うこともできる。
即ち、リモコン装置１を所定手順に沿って操作すると、設定画面が現れ、初期設定を変更して所望の表示を行わしめることができる。
例えば、初期設定を変更する場合、制御基板８に格納された図１１に示す初期画面設定テーブルの状態を変更する。即ち、初期画面設定テーブルのデータを書き換えるため、外部から信号を送信して、項目ｍ、ｎのオンオフ状態を変更する。具体的には、自動切換機能を有効にする場合は、項目ｍ、ｎの双方をオン又はオフ状態にし、ガス／灯油のうちガスの画面表示を有効にする場合は、項目ｎをオン状態にして項目ｍをオフ状態にし、お湯の画面表示を有効にする場合は、項目ｎをオフ状態にして項目ｍをオン状態にする。このようにして、初期設定の画面表示を容易に変更することもできる。
【００５８】
また、本実施形態の給湯装置３は、表示画面の設定だけでなく、積算消費量や積算排出量の報知方法（例えば音声による報知）や、表示画面に合わせた照明効果等、各種の設定を行うことができる。即ち、表示画面の設定だけでなく、報知方法や照明効果等、各種の設定を初期設定からユーザ設定に変更することができる。
また、必要に応じて、各設定を初期化することができる。即ち、各設定を初期設定に戻すことができる。
初期化された後の表示画面の設定（初期設定）は、工場から出荷される際に設定された設定であり、多くの場合は、中間業者の意向に従って設定された初期設定である。
【００５９】
上記実施形態では、実績消費量あるいは実績排出量を積算する基準として、午前零時を採用していたが、その他の時刻を採用し、その時刻から２４時間経過するまでの期間であっても構わない。
また、１日単位ではなく、２日単位や１週間単位等、さらに長い期間を単位として実績消費量や実績排出量を積算しても構わない。
【００６０】
上記実施形態では、積算表示部４１の表示を、グラフを用いて表したが、本発明ではこれに限定されず、目標値に対する百分率で表しても構わない。また、その他の表示の方法としては、例えば、表示する情報を連想させる図形を用いて、積算消費量や積算排出量の現在の割合を表しても構わない。例えば、そのような図形としては、ガスであれば雲のような気体を連想させる図形、お湯であれば水滴の図形、電気であれば雷の図形、二酸化炭素であれば氷が溶けるような図形等が挙げられる。
【００６１】
また、上記実施形態では、ガスを燃料とする給湯装置３を採用した構成を示したが、本発明ではこれに限定されず、石油を燃料とする給湯装置を採用した構成であっても構わない。この場合、ガスの実績消費量に代えて、石油の実績消費量を演算する構成が必要となる。
【００６２】
上記実施形態では、電力の情報を得るために、電力計測ユニット１６を備えた構成を示したが、本発明ではこれに限定されず、図１２に示すように、制御基板８に通信部１０とは別に入力部２４を設け、電力計測ユニット１６を介さずに、入力部２４に直接的に電流・電圧情報を入力可能な構成を備えても構わない。また、入力部２４を設けず、通信部１０に入力される構成であっても構わない。
【００６３】
上記実施形態では、積算消費量や積算排出量の目標値として、前日を含む２週間以内の１日当たりの平均値を演算する構成を示したが、本発明はこれに限定されず、前日を含む１週間以内の平均値であっても、前日の積算値であっても、いかなる目標値を採用しても構わない。
【００６４】
上記実施形態では、給湯装置３のリモコン装置１として採用した構成を示したが、本発明はこれに限定されず、例えば、表示装置単独として用いた構成であっても構わない。
【符号の説明】
【００６５】
１    リモコン装置
３    給湯装置
５    リモコン本体
７    表示部
８    制御基板
１６    電力計測ユニット
２０    燃焼部
２１    熱交換部
２６    分電盤
４０    種類表示部
４１    積算表示部
４２    時刻・瞬間表示部
【図１】
2012247161.tif 000003
【図２】
2012247161.tif 000004
【図３】
2012247161.tif 000005
【図４】
2012247161.tif 000006
【図５】
2012247161.tif 000007
【図６】
2012247161.tif 000008
【図７】
2012247161.tif 000009
【図８】
2012247161.tif 000010
【図９】
2012247161.tif 000011
【図１０】
2012247161.tif 000012
【図１１】
2012247161.tif 000013
【図１２】
2012247161.tif 000014